(57)【要約】      （修正有）【課題】取付係合片を設けることなくバルコニの床面に勾配を設けることができるバルコニ床構造を得る。【解決手段】バルコニ床構造は、床面５４が基端側から先端側に向けて下り勾配とされたバルコニ１８の床フレーム２２の一部を構成すると共に、バルコニ１８の基端側と先端側とにそれぞれ対向して配置されかつ断面内にブラケット３４、３６が設けられた一対の床大梁２８、３０と、バルコニ基端側の床大梁２８とバルコニ先端側の床大梁３０との間に複数架け渡され、長手方向の両端部がブラケット３４、３６に接合されると共にバルコニ基端側端部３２Ｄの高さ寸法がバルコニ先端側端部３２Ｅの高さ寸法よりも大きく、かつ少なくともバルコニ基端側端部３２Ｄの上端部はバルコニ基端側の床大梁２８の上面よりも上方に突出し、上面が床面５４の勾配と同一勾配の傾斜面を構成すると共に床下地材４６を支持するように構成された床小梁３２と、を備える。【選択図】図３
2019214827.tif 000002
【特許請求の範囲】
【請求項１】
床面が基端側から先端側に向けて下り勾配とされたバルコニの床フレームの一部を構成すると共に、バルコニの基端側と先端側とにそれぞれ対向して配置されかつ断面内に接合用ブラケットが設けられた一対の床大梁と、
バルコニ基端側の前記床大梁とバルコニ先端側の前記床大梁との間に複数架け渡され、長手方向の両端部が前記ブラケットに接合されると共にバルコニ基端側端部の高さ寸法がバルコニ先端側端部の高さ寸法よりも大きく、かつ少なくとも前記バルコニ基端側端部の上端部は前記バルコニ基端側の床大梁の上面よりも上方に突出し、上面が前記勾配と同一勾配の傾斜面を構成すると共に床下地材を支持するように構成された床小梁と、
を備えるバルコニ床構造。
【請求項２】
前記床小梁の下面は略水平である、請求項１に記載のバルコニ床構造。
【請求項３】
前記バルコニ基端側の床大梁の上面の上に配置されて上面が前記床下地材を支持するスペーサを備える、請求項１又は２に記載のバルコニ床構造。
【請求項４】
前記一対の床大梁がバルコニ基端側とバルコニ先端側とに二対並列に配置され、バルコニ基端側に配置された第１の一対の床大梁の間に架け渡された第１の床小梁の前記バルコニ先端側端部の高さ寸法は、バルコニ先端側に配置された第２の一対の床大梁の間に架け渡された第２の床小梁の前記バルコニ基端側端部の高さ寸法よりも大きく、前記第１の床小梁の上面と前記第２の床小梁の上面とで前記傾斜面を構成すると共に前記床下地材を支持するように構成され、
さらに、前記第１の一対の床大梁を構成する前記バルコニ基端側の床大梁の上面の上に配置されて上面が前記床下地材を支持する第１のスペーサと、
前記第１の一対の床大梁を構成する前記バルコニ先端側の床大梁の上面と前記第２の一対の床大梁を構成する前記バルコニ基端側の床大梁の上面との間に架け渡されて上面が前記床下地材を支持する第２のスペーサと、
を備える請求項１又は２に記載のバルコニ床構造。
【発明の詳細な説明】
【技術分野】
【０００１】
本発明は、バルコニ床構造に関する。
【背景技術】
【０００２】
特許文献１には、相対する床大梁間に架け渡され、一方の床大梁から他方の床大梁に向かう勾配を有する床小梁の取付構造が開示されている。この床小梁の長手方向の両端に予め設けられた取付係合片は、上フランジ上面の高さ方向における位置が床小梁の一端と他端とで異なるようにそれぞれ位置合わせされて床小梁の両端に溶接されている。この取付係合片の上フランジを相対する床大梁のそれぞれの上フランジ上面にのせた状態で取付係合片が床大梁に固定されることにより、床小梁に所定の勾配が付与される。
【先行技術文献】
【特許文献】
【０００３】
【特許文献１】特開平４−３１９１３７号公報
【発明の概要】
【発明が解決しようとする課題】
【０００４】
しかしながら、上記特許文献１に記載された技術では、床小梁に勾配を付与するために取付係合片を要するため、部材点数が増加する。また、取付係合片を予め床小梁に溶接しておき、更に床大梁に固定する必要があり施工に手間がかかる。
【０００５】
本発明は上記事実を考慮し、取付係合片を設けることなくバルコニの床面に勾配を設けることができるバルコニ床構造を得ることを目的とする。
【課題を解決するための手段】
【０００６】
第１の態様に係るバルコニ床構造は、床面が基端側から先端側に向けて下り勾配とされたバルコニの床フレームの一部を構成すると共に、バルコニの基端側と先端側とにそれぞれ対向して配置されかつ断面内に接合用ブラケットが設けられた一対の床大梁と、バルコニ基端側の前記床大梁とバルコニ先端側の前記床大梁との間に複数架け渡され、長手方向の両端部が前記ブラケットに接合されると共にバルコニ基端側端部の高さ寸法がバルコニ先端側端部の高さ寸法よりも大きく、かつ少なくとも前記バルコニ基端側端部の上端部は前記バルコニ基端側の床大梁の上面よりも上方に突出し、上面が前記勾配と同一勾配の傾斜面を構成すると共に床下地材を支持するように構成された床小梁と、を備える。
【０００７】
第１の態様に係るバルコニ床構造によれば、バルコニ基端側の床大梁とバルコニ先端側の床大梁との間に床小梁が複数架け渡されている。この床小梁は、バルコニ基端側端部の高さ寸法がバルコニ先端側端部の高さ寸法よりも大きく、かつ少なくともバルコニ基端側端部の上端部がバルコニ基端側の床大梁の上面よりも上方に突出するように構成されている。また、床小梁の上面がバルコニ床面の勾配と同一勾配の傾斜面とされ、床小梁の上面により床下地材が支持されている。このように床小梁のバルコニ基端側端部の高さ寸法がバルコニ先端側端部の高さ寸法よりも大きくなるように構成されていることで、床小梁の上面がバルコニ基端側からバルコニ先端側に向けた下り勾配の傾斜面とされ、取付係合片を設けることなくバルコニの床面に勾配を設けることができる。
【０００８】
第２の態様に係るバルコニ床構造は、第１の態様に係るバルコニ床構造において、前記床小梁の下面は略水平である。
【０００９】
第２の態様に係るバルコニ床構造によれば、床小梁の下面が略水平とされている。このため、床小梁の下面が傾斜面とされている場合に比べて、床小梁の長手方向両端部を床大梁に設けられたブラケットに接合する際の位置合わせを容易かつ正確に行うことができる。これにより、取付係合片を設けることなく、容易かつ正確に床小梁に勾配を設けることができる。
【００１０】
第３の態様に係るバルコニ床構造は、第１又は第２の態様に係るバルコニ床構造において、前記バルコニ基端側の床大梁の上面の上に配置されて上面が前記床下地材を支持するスペーサを備える。
【００１１】
第３の態様に係るバルコニ床構造によれば、バルコニ基端側の床大梁の上面の上にスペーサが配置され、このスペーサの上面により床下地材が支持される。このため、床下地材が広い範囲で支持される。
【００１２】
第４の態様に係るバルコニ床構造は、第１又は第２の態様に係るバルコニ床構造において、前記一対の床大梁がバルコニ基端側とバルコニ先端側とに二対並列に配置され、バルコニ基端側に配置された第１の一対の床大梁の間に架け渡された第１の床小梁の前記バルコニ先端側端部の高さ寸法は、バルコニ先端側に配置された第２の一対の床大梁の間に架け渡された第２の床小梁の前記バルコニ基端側端部の高さ寸法よりも大きく、前記第１の床小梁の上面と前記第２の床小梁の上面とで前記傾斜面を構成すると共に前記床下地材を支持するように構成され、さらに、前記第１の一対の床大梁を構成する前記バルコニ基端側の床大梁の上面の上に配置されて上面が前記床下地材を支持する第１のスペーサと、前記第１の一対の床大梁を構成する前記バルコニ先端側の床大梁の上面と前記第２の一対の床大梁を構成する前記バルコニ基端側の床大梁の上面との間に架け渡されて上面が前記床下地材を支持する第２のスペーサと、を備える。
【００１３】
第４の態様に係るバルコニ床構造によれば、二対の床大梁が並列に配置され、バルコニ基端側に配置された第１の一対の床大梁の間に架け渡された第１の床小梁のバルコニ先端側端部の高さ寸法は、バルコニ先端側に配置された第２の一対の床大梁の間に架け渡された第２の床小梁のバルコニ基端側端部の高さ寸法よりも大きくなるように構成されている。このように、バルコニ基端側からバルコニ先端側に向かうにつれて第１の床小梁及び第２の床小梁の長手方向端部の高さ寸法が順に小さくなるように構成されていることにより、第１の床小梁の上面と第２の床小梁の上面とでバルコニ基端側からバルコニ先端側に向けた下り勾配の傾斜面が構成され、広いバルコニであっても取付係合片を設けることなくバルコニの床面に勾配を設けることができる。
【００１４】
また、第１の一対の床大梁を構成するバルコニ基端側の床大梁の上面の上に第１のスペーサが配置され、第１の一対の床大梁を構成するバルコニ先端側の床大梁の上面と第２の一対の床大梁を構成するバルコニ基端側の床大梁の上面との間に第２のスペーサが架け渡されている。そして、第１のスペーサの上面及び第２のスペーサの上面により、床下地材が支持される。第１のスペーサ及び第２のスペーサが配置されることにより、広いバルコニであっても、床下地材が広い範囲で支持される。
【発明の効果】
【００１５】
以上説明したように、本発明に係るバルコニ床構造は、取付係合片を設けることなくバルコニの床面に勾配を設けることができる、という優れた効果を有する。
【図面の簡単な説明】
【００１６】
【図１】（Ａ）は第１実施形態に係るバルコニ床構造が適用されたユニット建物の斜視図である。（Ｂ）は（Ａ）のユニット建物の平面図である。
【図２】図１に示されるユニット建物のバルコニ床フレームの平面図である。
【図３】バルコニ床構造の要部を示す、図１（Ｂ）の３−３線断面図である。
【図４】図３に示される床小梁の斜視図である。
【図５】第２実施形態に係るバルコニ床構造が適用されたユニット建物の平面図である。
【図６】バルコニ床構造の要部を示す、図５の６−６線断面図である。
【図７】図６に示される床小梁の斜視図である。
【発明を実施するための形態】
【００１７】
〔第１実施形態〕
以下、図１〜図４を用いて、本発明に係るバルコニ床構造の第１実施形態について説明する。
【００１８】
＜バルコニ床構造が適用されたユニット建物１０の構成＞
図１（Ａ）には、本実施形態に係るバルコニ床構造が適用されたユニット建物１０をバルコニ側から見た斜視図が示されており、図１（Ｂ）には、図１（Ａ）のユニット建物１０の平面図が示されている。これらの図に示されるように、ユニット建物１０は、一階部分を構成する建物ユニット１２、１４と、一階部分の建物ユニット１４の上に設けられた二階部分の建物ユニット１６と、一階部分の建物ユニット１２の上に建物ユニット１６と並列に設けられたバルコニ１８と、を含んで構成されている。バルコニ１８の外周には、建物ユニット１６と接していない部分に腰壁部２０が設けられている。
【００１９】
建物ユニット１２、１４、１６は、直方体の箱型ユニットであり、四隅に立設された図示しない４本の柱と、これらの柱の上端同士を連結しユニット天井を形成する図示しない天井フレームと、柱の下端同士を連結しユニット床を形成する図示しない床フレームと、によってその躯体が構成されている。
【００２０】
図２に示されるように、バルコニ１８の床フレーム２２は、溝形鋼で構成された短辺側の一対の床大梁２４、２６と長辺側の一対の床大梁２８、３０とがそれぞれ対向して配置され、矩形枠状とされている。床フレーム２２は更に、長辺側の一対の床大梁２８、３０間に所定の間隔で配置された床小梁３２を備えている。床大梁２８、３０の溝形鋼の断面内には、後述する接合用のブラケット３４、３６（図３参照）が設けられ、このブラケット３４、３６に床小梁３２の長手方向両端部が接合されている。
【００２１】
＜第１実施形態の要部構成＞
次に、第１実施形態に係るバルコニ床構造の要部の構成について詳細に説明する。
【００２２】
図３は、図１（Ｂ）に示されるユニット建物１０の平面図において３−３線に沿って切断された状態の断面図であり、第１実施形態に係るバルコニ床構造の要部が示されている。この図において、一点鎖線は建物ユニット１２、１４、１６、及びバルコニ１８の境界線を示している。この図に示されるように、前述したバルコニ１８の床フレーム２２の長辺側の一対の床大梁２８、３０は、バルコニ１８の基端側（建物ユニット１６側）に配置されたバルコニ基端側の床大梁２８（以下、適宜「床大梁２８」と称する）と、バルコニ１８の先端側に配置されたバルコニ先端側の床大梁３０（以下、適宜「床大梁３０」と称する）とから構成されている。そして、床大梁２８、３０が、一階部分の建物ユニット１２の一部を構成する一対の天井大梁３８、４０の上にそれぞれ配置されている。同様に、二階部分の建物ユニット１６の床大梁４２は、一階部分の建物ユニット１４の一部を構成する天井大梁４４の上に配置されている。
【００２３】
バルコニ１８の床大梁２８、３０は、バルコニ１８の内側に向かって開放された溝形鋼により構成されており、床大梁２８と床大梁３０とは設置される向きが異なるが寸法及び構造は同じである。床大梁２８、３０の断面内側には、床小梁３２を接合するためのブラケット３４、３６が設けられている。ブラケット３４、３６は、板厚方向が床大梁２８、３０の長手方向とされた板状部材であり、上下方向の高さが床大梁２８、３０の内寸の高さと略同一とされると共に、板厚方向と直交する水平方向の幅が床大梁２８、３０の幅よりも大きく設定されている。そして、ブラケット３４、３６の上下端部の一部と、板厚方向と直交する水平方向の一端とが、床大梁２８、３０の内側に溶接により接合されている。ブラケット３４、３６の水平方向の他端は、床大梁２８、３０の側端よりもバルコニ１８内側に突出している。
【００２４】
図４に示されるように、床小梁３２は、上フランジ３２Ａと、ウエブ３２Ｂと、下フランジ３２Ｃと、を含んで構成されている。下フランジ３２Ｃは、床フレーム２２（図２参照）が組み立てられた状態で略水平とされている。ウエブ３２Ｂは、下フランジ３２Ｃの一端から垂直に立ち上がるように構成され、上フランジ３２Ａは、ウエブ３２Ｂの上端から垂直かつ下フランジ３２Ｃと同じ側に延出されている。ここで、床小梁３２の長手方向のバルコニ基端側端部３２Ｄ（以下、適宜「端部３２Ｄ」と称する。）の高さ寸法Ｈ１は、バルコニ先端側端部３２Ｅ（以下、適宜「端部３２Ｅ」と称する。）の高さ寸法Ｈ２よりも大きくなるように設定されている。このため、上フランジ３２Ａと下フランジ３２Ｃとは、平行とはされておらず、下フランジ３２Ｃが水平であるのに対して、上フランジ３２Ａは、端部３２Ｄから端部３２Ｅに向かって下り勾配とされている。
【００２５】
床小梁３２を製造する方法としては、一例として、断面が直角とされた冶具を角部が下になるように設置しておき、その上に板状材料を水平に載置し、冶具と同じ向きを有する直角の型で板状材料を上から押圧して冶具と型とで板状材料を挟み込むことにより上フランジ３２Ａ及び下フランジ３２Ｃを形成することが可能である。このとき、上フランジ３２Ａ形成時と下フランジ３２Ｃ形成時とで２度の押圧作業を行うことになるが、２度目の押圧作業を行う前に、板状材料の方向を面内で所定の角度だけ変更することにより、上フランジ３２Ａと下フランジ３２Ｃとは互いに平行ではなく、所定の角度を持つように構成される。これにより、端部３２Ｄ、３２Ｅの高さＨ１、Ｈ２が異なる床小梁３２が得られる。
【００２６】
図３に戻ると、床小梁３２の下フランジ３２Ｃが水平とされた状態で、床小梁３２の端部３２Ｄ、３２Ｅが床大梁２８、３０に設けられたブラケット３４、３６にそれぞれ接合されている。詳しく説明すると、バルコニ基端側端部３２Ｄにおけるウエブ３２Ｂの外面の下部が、ブラケット３４の床大梁２８側端よりもバルコニ１８内側に突出した部分の上部に重ね合わされて溶接により接合されている。ここで、床小梁３２の端部３２Ｄの上端部は、床大梁２８の上フランジ２８Ａの上面よりも上方に突出している。そして、バルコニ先端側端部３２Ｅにおけるウエブ３２Ｂの外面が、ブラケット３６が床大梁３０側端よりもバルコニ１８内側に突出した部分の上部に重ね合わされて溶接により接合されている。ここで、床小梁３２の端部３２Ｅの上端は、床小梁３２の上フランジ３２Ａの上面と床大梁３０の上フランジ３０Ａの上面との間に段差を生じないように位置合わせされている。
【００２７】
床小梁３２の上フランジ３２Ａの上面の上には、バルコニ基端側から先端側に亘って、床下地材４６が載置されている。ここで、前述のように床小梁３２の端部３２Ｄの上端部が、床大梁２８の上フランジ２８Ａ上面よりも上方に突出していることにより、床大梁２８の上フランジ２８Ａの上面と床下地材４６の下面との間に隙間が形成される箇所では、床大梁２８の上フランジ２８Ａの上面にスペーサ４８が配置され、このスペーサ４８により床下地材４６が支持されている。このスペーサ４８は、床大梁２８に沿って延在する長尺状とされてもよいし、所定の間隔で複数配置される構成としてもよい。
【００２８】
床下地材４６の上面には、断熱材５０が配置され、断熱材５０の上面には断熱材５０よりも耐熱性の高い高耐熱断熱材５２が配置されている。高耐熱断熱材５２の上には、図示しない防水下地材及び床仕上げ材がこの順で配置されている。断熱材５０、高耐熱断熱材５２、防水下地材及び床仕上げ材はそれぞれ厚さが均一に構成されているため、床仕上げ材の上面により構成される床面５４は床小梁３２の上フランジ３２Ａの上面の下り勾配と同じ勾配（矢印Ｐで示される）を有する傾斜面を構成する。これにより、バルコニ１８の床面５４の上の水は、バルコニ基端側から先端側に流れる。
【００２９】
バルコニ先端側には、床大梁３０の長手方向に沿って床下地材４６上面に断熱材５０及び高耐熱断熱材５２が配置されていない部分が設けられ、この部分の床下地材４６の上面には断面が略三角形状の三次元勾配付の断熱材５６が配置される。この断熱材５６の上面は、バルコニ基端側から先端側に向かう下り勾配（矢印Ｑで示される）と、床大梁３０の長手方向に沿って一端から他端に向かう下り勾配（紙面手前から奥に向かう勾配）とを併せ持つように構成されている。これにより、三次元勾配付の断熱材５６の上に配置された図示しない防水下地材上の水は、バルコニ１８の先端側の一角に向かって床大梁３０の長手方向に沿って流れ、この一角に配置された図示しない排水孔からユニット建物１０の外に排出される。
【００３０】
バルコニ１８の先端側に配置された床大梁３０のウエブ３０Ｂの外側には、腰壁部２０が設けられている。腰壁部２０は、ウエブ３０Ｂの外側に下部が接合された柱５８と、柱５８の外側と内側とに図示しないビスによりそれぞれ固定された外壁パネル６０と内壁パネル６２と、を含んで構成されている。柱５８の下端は、床大梁３０のウエブ３０Ｂに接合された支持部材６４の上面によって支持されている。内壁パネル６２の下端には、ビス６６により柱５８に固定された水切り６８が設けられている。なお、図３では図示されない短辺側の一対の床大梁２４、２６の外側に設けられた腰壁部２０も、同様に構成されている。
【００３１】
二階部分の建物ユニット１６のバルコニ１８側の床大梁４２の上方には、防水立上り部７０が設けられている。防水立上り部７０の室外側には、サッシ下枠７２と水切り７４とが設けられ、窓等をつたって落下してきた水がバルコニ１８の床面５４に落下するように構成されている。
【００３２】
＜作用及び効果＞
次に、第１実施形態に係るバルコニ床構造の作用及び効果について説明する。
【００３３】
本実施形態に係るバルコニ床構造では、図３に示されるように、バルコニ基端側の床大梁２８とバルコニ先端側の床大梁３０との間に床小梁３２が複数架け渡されている。この床小梁３２は、バルコニ基端側端部３２Ｄの高さ寸法Ｈ１がバルコニ先端側端部３２Ｅの高さ寸法Ｈ２よりも大きく、かつ少なくともバルコニ基端側端部３２Ｄの上端部がバルコニ基端側の床大梁２８の上面よりも上方に突出するように構成されている。また、床小梁３２の上フランジ３２Ａの上面がバルコニ１８の床面５４の勾配と同一勾配の傾斜面とされ、床小梁３２の上フランジ３２Ａの上面により床下地材４６が支持されている。このように床小梁３２のバルコニ基端側端部３２Ｄの高さ寸法Ｈ１がバルコニ先端側端部３２Ｅの高さ寸法Ｈ２よりも大きくなるように構成されていることで、床小梁３２の上フランジ３２Ａの上面がバルコニ基端側から先端側に向けた下り勾配の傾斜面とされ、取付係合片を設けることなくバルコニ１８の床面５４に勾配を設けることができる。
【００３４】
また、本実施形態に係るバルコニ床構造では、床面５４の勾配が床小梁３２の上フランジ３２Ａ上面の勾配と略同一とされている。換言すると、床小梁３２の上フランジ３２Ａ上面に配置される断熱材５０及び高耐熱断熱材５２はそれぞれ厚さが均一に構成されている。このため、断熱材５０及び高耐熱断熱材５２に勾配を付与することにより床面５４に水勾配を付与する場合に比べて、断熱材５０及び高耐熱断熱材５２の使用量を減らすことが可能となる。前述のとおり、床小梁３２の上フランジ３２Ａを傾斜面とするためには、上フランジ３２Ａ形成時と下フランジ３２Ｃ形成時とで板状材料の方向を面内で所定の角度だけ変更すればよいので、追加の作業や材料費は極めて少ない。断熱材５０及び高耐熱断熱材５２の材料費が非常に高額であることから、断熱材５０及び高耐熱断熱材５２の使用量を減らすことにより、全体の材料費を大幅に削減することが可能となる。
【００３５】
また、本実施形態に係るバルコニ床構造では、床小梁３２の下面が略水平とされている。床小梁３２の下面が略水平とされたバルコニ床構造を得るためには、床大梁２８、３０に設けられた接合用ブラケット３４、３６に床小梁の端部３２Ｄ、３２Ｅを接合する作業を、上面が水平面を構成する支持部材、例えば均一な厚さを有する板状支持部材等の上に床小梁３２を載置した状態で行えばよい。このため、床小梁３２の下面が傾斜面とされている場合に比べて、床小梁３２の長手方向端部３２Ｄと端部３２Ｅとで異なる高さに調節するなどの複雑な位置合わせを必要とせずに、位置合わせを容易かつ正確に行うことができる。これにより、取付係合片を設けることなく、容易かつ正確に床小梁に勾配を設けることができる。
【００３６】
また、本実施形態に係るバルコニ床構造では、バルコニ基端側の床大梁２８の上面の上にスペーサ４８が配置されている。このスペーサ４８の上面により、床下地材４６が支持される。床小梁３２のバルコニ基端側端部３２Ｄの上端部が床大梁２８の上面よりも上方に突出することにより床大梁２８の上面と床下地材４６の下面との間に形成される隙間にスペーサ４８が配置されることにより、床下地材４６が広い範囲で支持される。
【００３７】
〔第２実施形態〕
以下、図５〜図７を用いて、本発明に係るバルコニ床構造の第２実施形態について説明する。なお、これらの図では、前述した第１実施形態と同一構成部分については、同一番号を付してその説明を省略する。
【００３８】
図５には、第２実施形態に係るバルコニ床構造が適用されたユニット建物１００の平面図が示されている。図６は、図５に示されるユニット建物１００の平面図において６−６線に沿って切断された状態の断面図であり、第２実施形態に係るバルコニ床構造の要部が示されている。これらの図に示されるように、ユニット建物１００のバルコニ１０２は、バルコニ基端側（建物ユニット１０４側）の第１のバルコニユニット１０６と、先端側の第２のバルコニユニット１０８とが並列に配置されて構成されている。第１のバルコニユニット１０６は、第１の一対の床大梁１１０、１１２と、第１の床小梁１１４とから構成され、第２のバルコニユニット１０８は、第２の一対の床大梁１１６、１１８と、第２の床小梁１２０とから構成されている。
【００３９】
第１の一対の床大梁１１０、１１２と、第２の一対の床大梁１１６、１１８とは、一階部分の建物ユニット１２２、１２４の天井大梁１２６、１２８、１３０、１３２の上にそれぞれ配置されている。
【００４０】
図６及び図７に示されるように、第１の床小梁１１４のバルコニ基端側端部１１４Ｄ（以下、適宜「端部１１４Ｄ」と称する。）の高さ寸法Ｈ３及びバルコニ先端側端部１１４Ｅ（以下、適宜「端部１１４Ｅ」と称する。）の高さ寸法Ｈ４と、第２の床小梁１２０のバルコニ基端側端部１２０Ｄ（以下、適宜「端部１２０Ｄ」と称する。）の高さ寸法Ｈ５及びバルコニ先端側端部１２０Ｅ（以下、適宜「端部１２０Ｅ」と称する。）の高さ寸法Ｈ６とは、高さ寸法Ｈ３が一番大きく、続いて、Ｈ４、Ｈ５、Ｈ６の順に小さくなってゆくように設定されている（Ｈ３＞Ｈ４＞Ｈ５＞Ｈ６）。ここで、少なくとも端部１１４Ｄ、端部１１４Ｅ、端部１２０Ｄの上端部は、床大梁１１０、１１２、１１６の上フランジ１１０Ａ、１１２Ａ、１１６Ａの上面よりも上方に突出している。また、第１の床小梁１１４の上フランジ１１４Ａの上面と第２の床小梁１２０の上フランジ１２０Ａの上面とは、同一平面を構成し、第１の床小梁１１４の端部１１４Ｄから第２の床小梁１２０の端部１２０Ｅに向かう下り勾配（矢印Ｒで示される）を有する傾斜面を構成している。
【００４１】
第１の床小梁１１４の下フランジ１１４Ｃ及び第２の床小梁１２０の下フランジ１２０Ｃは、それぞれ水平に構成されると共に、高さ方向の位置が略同一とされている。この状態で、床小梁１１４の端部１１４Ｄ、１１４Ｅにおけるウエブ１１４Ｂの外面がそれぞれ床大梁１１０、１１２に設けられたブラケット１３４、１３６に溶接により接合されている。同様に、床小梁１２０の端部１２０Ｄ、１２０Ｅにおけるウエブ１２０Ｂの外面がそれぞれ床大梁１１６、１１８に設けられたブラケット１３８、１４０に溶接により接合されている。
【００４２】
第１の床小梁１１４の上フランジ１１４Ａ及び第２の床小梁１２０の上フランジ１２０Ａの上面の上には、バルコニ基端側から先端側に亘って、床下地材１４２が配置されている。床大梁１１０の上フランジ１１０Ａの上面と床下地材１４２の下面との間に隙間が形成される箇所では、床大梁１１０の上フランジ１１０Ａの上面に第１のスペーサ１４４が配置され、この第１のスペーサ１４４により床下地材１４２が支持されている。また、床大梁１１２の上面と床大梁１１６の上面との間に架け渡された第２のスペーサ１４６が配置され、この第２のスペーサ１４６により床下地材１４２が支持されている。
【００４３】
床下地材１４２の上面には、断熱材１４８が配置され、断熱材１４８の上面には断熱材１４８よりも耐熱性の高い高耐熱断熱材１５０が配置されている。高耐熱断熱材１５０の上には、図示しない防水下地材及び床仕上げ材がこの順で配置されている。断熱材１４８、高耐熱断熱材１５０、防水下地材及び床仕上げ材はそれぞれ厚さが均一に構成されているため、床仕上げ材の上面により構成される床面１５２は床小梁１１４、１２０の上フランジ１１４Ａ、１２０Ａの上面の下り勾配と同じ勾配（矢印Ｒで示される）を有する傾斜面を構成する。これにより、バルコニ１０２の床面１５２の上の水は、バルコニ基端側から先端側に流れる。バルコニ先端側に集められた水は、三次元勾配付の断熱材１５４の勾配によってバルコニ１０２の先端側の一角に向かって流れ、この一角に配置された図示しない排水孔からユニット建物１００の外に排出される。
【００４４】
＜作用及び効果＞
次に、第２実施形態に係るバルコニ床構造の作用及び効果について説明する。
【００４５】
本実施形態に係るバルコニ床構造では、図６に示されるように、二対の床大梁１１０、１１２、１１６、１１８が並列に配置され、バルコニ基端側に配置された第１の一対の床大梁１１０、１１２の間に架け渡された第１の床小梁１１４のバルコニ先端側端部１１４Ｅの高さ寸法Ｈ４は、バルコニ先端側に配置された第２の一対の床大梁１１６、１１８の間に架け渡された第２の床小梁１２０のバルコニ基端側端部１２０Ｄの高さ寸法Ｈ５よりも大きくなるように構成されている。このように、バルコニ基端側から先端側に向かうにつれて第１の床小梁１１４及び第２の床小梁１２０の端部１１４Ｄ、１１４Ｅ、１２０Ｄ、１２０Ｅの高さ寸法Ｈ３、Ｈ４、Ｈ５、Ｈ６が順に小さくなるように構成されていることにより、第１の床小梁１１４の上面と第２の床小梁１２０の上面とでバルコニ基端側から先端側に向けた下り勾配の傾斜面が構成され、広いバルコニ１０２であっても取付係合片を設けることなくバルコニ１０２の床面１５２に勾配を設けることができる。
【００４６】
また、第１の一対の床大梁１１０、１１２を構成するバルコニ基端側の床大梁１１０の上面の上に第１のスペーサ１４４が配置され、第１の一対の床大梁１１０、１１２を構成するバルコニ先端側の床大梁１１２の上面と第２の一対の床大梁１１６、１１８を構成するバルコニ基端側の床大梁１１６の上面との間に第２のスペーサ１４６が架け渡されている。そして、第１のスペーサ１４４の上面及び第２のスペーサ１４６の上面により、床下地材１４２が支持される。床小梁１１４、１２０の端部１１４Ｄ、１１４Ｅ、１２０Ｄの上端部が床大梁１１０、１１２、１１６の上面よりも上方に突出する箇所では、床大梁１１０、１１２、１１６の上面と床下地材１４２の下面との間に隙間が形成されるが、この隙間に第１のスペーサ１４４及び第２のスペーサ１４６が配置されることにより、広いバルコニ１０２であっても、床下地材１４２が広い範囲で支持される。
【００４７】
〔上記実施形態の補足説明〕
上記第１及び第２実施形態では、一階の建物ユニット１２、１２２、１２４の上にバルコニ１８、１０２が配置される構成としたが、バルコニ下に建物ユニットのない片持ち支持構造のバルコニにおいて第１及び第２実施形態に係るバルコニ床構造を適用してもよい。
【００４８】
また、上記第２実施形態では、２つのバルコニユニット１０６、１０８を並列に配置してバルコニ１０２を構成したが、３つ以上のバルコニユニットを並列に配置してバルコニを構成してもよい。
【符号の説明】
【００４９】
１８            バルコニ
２２            床フレーム
２８、３０      一対の床大梁
２８            バルコニ基端側の床大梁
３０            バルコニ先端側の床大梁
３２            床小梁
３２Ｄ          バルコニ基端側端部
３２Ｅ          バルコニ先端側端部
３４、３６      ブラケット
４６            床下地材
４８            スペーサ
５４            床面
Ｈ１、Ｈ２      高さ寸法
１１０、１１２  第１の一対の床大梁
１１０          バルコニ基端側の床大梁
１１２          バルコニ先端側の床大梁
１１４          第１の床小梁
１１４Ｅ        バルコニ先端側端部
１１６、１１８  第２の一対の床大梁
１１６          バルコニ基端側の床大梁
１２０          第２の床小梁
１２０Ｄ        バルコニ基端側端部
１３４、１３６、１３８、１４０  ブラケット
１４２          床下地材
１４４          第１のスペーサ
１４６          第２のスペーサ
１５２          床面
Ｈ４、Ｈ５      高さ寸法
【図１】
2019214827.tif 000003
【図２】
2019214827.tif 000004
【図３】
2019214827.tif 000005
【図４】
2019214827.tif 000006
【図５】
2019214827.tif 000007
【図６】
2019214827.tif 000008
【図７】
2019214827.tif 000009